(57)【要約】  湯沸器用の加熱ブロックハーフシェル（１０ａ，１０ｂ）および加熱ブロック（１０）であって、それぞれ少なくとも１つの直線部分を備えた加熱通路（１８）用の（部分）壁（１７）を有しているものが開示されている。前記少なくとも１つの直線部分において前記壁（１７）には、少なくとも２つのガイド部材（１１ａ，１１ｂ，１２，１３ａ，１３ｂ，１４，１５ａ，１６）が軸方向（Ｌ）において相前後して配置されており、前記少なくとも２つのガイド部材（１１ａ，１１ｂ，１２，１３ａ，１３ｂ，１４，１５ａ，１６）はそれぞれ、前記加熱通路（１８）内で加熱コイル（２０）を半径方向において支持するように設けられている。さらに、このような加熱ブロックを備えた湯沸器も開示されている。
2018526609.tif 000002
【特許請求の範囲】
【請求項１】
少なくとも１つの直線部分を備えた加熱通路（１８）用の部分壁（１７）を有する湯沸器用の加熱ブロックハーフシェル（１０ａ，１０ｂ）であって、
前記少なくとも１つの直線部分において前記部分壁（１７）には、少なくとも２つのガイド部材（１１ａ，１１ｂ，１２，１３ａ，１３ｂ，１４，１５ａ，１６）が軸方向（Ｌ）において相前後して配置されており、前記少なくとも２つのガイド部材（１１ａ，１１ｂ，１２，１３ａ，１３ｂ，１４，１５ａ，１６）はそれぞれ、前記加熱通路（１８）内で加熱コイル（２０）を半径方向において支持するように設けられていることを特徴とする、加熱ブロックハーフシェル。
【請求項２】
前記直線部分において少なくとも３つのガイド部材が前記部分壁に配置されており、少なくとも３つのガイド部材のうち少なくとも２つ（１１ａ，１１ｂ）は、前記加熱コイルを半径方向においてそれぞれ異なる側から支持するように設けられている、請求項１記載の加熱ブロックハーフシェル。
【請求項３】
第１のガイド部材（１１ａ，１３ａ）は、第２のガイド部材（１１ｂ，１３ｂ）に対して、実質的に前記直線部分の長手方向中心軸線（Ｌ，Ｌ１，Ｌ２）を中心として回動されて配置されている、請求項２記載の加熱ブロックハーフシェル。
【請求項４】
複数の前記ガイド部材のうちの少なくとも１つは、前記加熱通路の縦断面および／または横断面において内向きの領域（２１）および／または外向きの領域（２２）を有し、前記内向きの領域（２１）では、中心までの間隔が徐々に小さくなり、前記外向きの領域（２２）では、中心までの間隔が徐々に大きくなる、請求項１から３までのいずれか１項記載の加熱ブロックハーフシェル。
【請求項５】
前記複数のガイド部材のうちの少なくとも１つは、軸方向および／または半径方向において流線形に、前記加熱通路の前記部分壁（１７）に適合されている、請求項１から４までのいずれか１項記載の加熱ブロックハーフシェル。
【請求項６】
前記複数のガイド部材のうちの少なくとも１つ（１２）は、実質的に楕円体またはレンズの部分表面に相当する表面を有している、請求項１から５までのいずれか１項記載の加熱ブロックハーフシェル。
【請求項７】
少なくとも１つの直線部分を備えた加熱通路（１８）用の壁（１７）を有し、前記加熱通路は半径方向における中心を有し、前記加熱通路内の半径方向における中心には加熱コイル（２０）が配置されている、湯沸器用の加熱ブロック（１０）であって、
前記少なくとも１つの直線部分において前記壁には、少なくとも２つのガイド部材（１１ａ，１１ｂ，１２，１３ａ，１３ｂ，１４，１５ａ，１６）が軸方向において相前後して配置されており、前記少なくとも２つのガイド部材（１１ａ，１１ｂ，１２，１３ａ，１３ｂ，１４，１５ａ，１６）はそれぞれ、前記加熱コイルを半径方向において支持するように設けられていることを特徴とする、加熱ブロック。
【請求項８】
前記直線部分では、少なくとも４つのガイド部材が前記壁に配置されており、そのうち少なくとも３つ（１１ａ，１１ｂ，１２）は、軸方向において実質的に同じ位置に配置されていて、前記加熱コイル（２０）を半径方向においてそれぞれ異なる側から支持するように設けられている、請求項７記載の加熱ブロック。
【請求項９】
前記加熱ブロックは、２つの加熱ブロックハーフシェル（１０ａ，１０ｂ）から構成されており、これら２つの加熱ブロックハーフシェル（１０ａ，１０ｂ）のうち少なくとも一方は、請求項１から６までのいずれか１項記載の加熱ブロックハーフシェルにより形成されている、請求項７または８記載の加熱ブロック。
【請求項１０】
請求項７から９までのいずれか１項記載の加熱ブロック（１０）を備えた電気式の湯沸器。
【発明の詳細な説明】
【技術分野】
【０００１】
本発明は、湯沸器、特に家庭用湯沸器のための加熱ブロックハーフシェルに関する。本発明はさらに、加熱ブロックおよび加熱ブロックを備えた湯沸器にも関する。
【０００２】
従来の電気式の家庭用湯沸器は、１つまたは複数の加熱ブロックを有し、加熱ブロックは、少なくとも１つの−一般に蛇行状に形成された−加熱通路を備えており、この加熱通路を通してその都度液体（特に水）を通流させることができるようになっており、加熱通路内には加熱コイルが配置されている。
【０００３】
このような加熱ブロックは、少なくとも１つの部分に、組み合わされた２つの加熱ブロックハーフシェルを有していてもよい。この場合、各加熱ブロックハーフシェルは、加熱通路用の部分壁を形成することができる。２つの加熱ブロックハーフシェルが組み合わされた状態で、２つの部分壁は共に１つの管を形成しており、この管は、加熱通路の少なくとも一部を取り囲んでいる。
【０００４】
加熱コイルは、一般にコイル中心の周りにらせん状に巻かれた加熱線材から形成されている。加熱コイルは、電流が通ると加熱されると同時に加熱コイルの周りを流れる水に熱を供給する電気抵抗を成している。
【０００５】
（結果としていわゆる「ホットスポット」が形成される）局所的な過熱を回避するために、さらには気泡の付着および（騒音発生を伴う）加熱コイルの機械的な振動を防止するために、加熱コイルは加熱通路内で適切な位置に保持されねばならない。
【０００６】
このために従来の加熱ブロックにおける加熱通路は、狭幅なガイドリブが加熱コイルを加熱通路内でセンタリングするように加工成形される。この場合、加熱通路は各直線部分間に、通路案内部が１８０°だけ変向される方向転換部分を有している。各ガイドリブはそれぞれ、加熱通路の直線部分にわたって延在しており、かつらせんに巻かれた加熱コイルの外面に係合している。
【０００７】
各ガイドリブは、加熱コイルと（加熱通路の壁を形成している）加熱ブロックの内壁との間に複数の中間室を形成しており、加熱通路の中心に加熱コイルを位置決めしている。これにより、加熱通路を通して案内される水は、少量部分が（外側の）各中間室を通って流れ、その他の大部分は、加熱コイルの真ん中の自由空間を通って流れることになる。
【０００８】
この場合、各中間室内では流れ抵抗が増大し、特にガイドリブは不都合な渦動を生ぜしめて、各中間室内の流速を低下させる。これにより、加熱されるべき水による、加熱コイルの周りの一様な周流が妨げられることになる。
【０００９】
独国特許出願公開第１０２０１２０１３３４８号明細書に記載された択一的な提案では、加熱通路は波形部分を有し、この波形部分の端部に加熱コイルが位置固定されている。この部分の波形形状に基づき、加熱コイルは加熱通路壁の様々な箇所に当接し、これにより位置決めされるようになっている。
【００１０】
しかしながら、波形に基づいてこのような加熱通路内では、流れ抵抗が増大することになる。さらに、波形部分を備えた加熱ブロックは、製造に手間がかかる。
【００１１】
本発明の課題は、前記欠点を廉価な方法で回避することにある。
【００１２】
前記課題は、特許請求項１記載の加熱通路ハーフシェル、特許請求項７記載の加熱ブロックおよび特許請求項１０記載の湯沸器により解決される。好適な実施形態は、各従属請求項に開示する。
【００１３】
本発明による加熱ブロックハーフシェルは、少なくとも１つの直線部分を備えた加熱通路用の部分壁を形成している。少なくとも１つの直線部分において部分壁には、少なくとも２つのガイド部材が軸方向において相前後して位置するように（つまり流れ方向で通流する加熱されるべき液体が２つのガイド部材の周りを順次流れるように）配置されている。各ガイド部材はそれぞれ、加熱コイルを半径方向において支持するように設けられている。
【００１４】
湯沸器用の本発明による加熱ブロックは、少なくとも１つの直線部分を備え、かつ中央に配置された加熱コイルを内蔵する加熱通路用の壁を形成する。少なくとも１つの直線部分には、軸方向において相前後して少なくとも２つのガイド部材が壁に配置されており、これらのガイド部材はそれぞれ、加熱コイルを半径方向において支持するように設けられている。
【００１５】
つまり各ガイド部材は、周知の加熱ブロックのガイドリブと同様に、加熱コイルを加熱通路の半径方向における中心に位置決めするために設けられた支持手段として用いられる。
【００１６】
従来技術の加熱ブロックの場合とは異なり、本発明による加熱ブロックハーフシェルにより、本発明による加熱ブロック内に形成された加熱通路は、−加熱されるべき液体の流れ方向に見て−相前後して配置された少なくとも２つのガイド部材を有している。
【００１７】
よって、従来のガイドリブに比べると、流れを損なう軸方向の支持手段延在長さが、複数のガイド部材において減少されることになる。本発明による各ガイド部材は、それぞれ加熱通路の直線部分内で周流され得るので、液体の流れは、各ガイド部材の周りでしか、ひいては直線部分の短い部分でしか損なわれない。
【００１８】
さらに、本発明に基づき従来のガイドリブに比べて短縮された軸方向延在長さは、材料節減ひいては費用節減を可能にする。
【００１９】
つまり、加熱コイルの位置決めは、前掲の独国特許出願公開第１０２０１２０１３３４８号明細書から公知の加熱ブロックの場合とは異なり、加熱通路の直線部分において達成される。よって、加熱通路の各方向転換部分の間の、一様な流れを損なう波形形状は回避され得る。さらに、このような波形形状の回避は、加熱ブロックハーフシェルもしくは加熱ブロックの製造の簡略化をも意味する。
【００２０】
本発明による加熱ブロックは、２つの組み合わされた加熱ブロックハーフシェルを有していてもよく、２つの加熱ブロックハーフシェルのうち、一方または両方が、本明細書で説明するような本発明による加熱ブロックハーフシェルとして形成されていてもよい。
【００２１】
本発明による加熱ブロックハーフシェルは、少なくとも２つのガイド部材の間に、好適には部分壁が半円筒形に加工成形された少なくとも１つの部分を有し、つまりこれにより、部分壁の（直線部分の長手方向中心軸線に対して垂直な）横断面は、半円形を形成している。同様に、本発明による加熱ブロックも、好適には少なくとも２つのガイド部材の間に、加熱通路の壁の半分が半円筒形に加工成形されているか、または壁全体が円筒形に加工成形された部分を有している。このような領域内には、通流する液体を妨げるガイド部材は全く存在していないので、加熱されるべき液体に対する流れ抵抗が最小になっている。
【００２２】
本発明による加熱ブロックハーフシェルおよび本発明による加熱ブロックは、それぞれ湯沸器、好適には家庭用湯沸器に使用されていてもよい。
【００２３】
好適には、加熱通路の直線部分は、実質的に（特にガイド部材を無視すると）円筒形に、つまり長手方向中心軸線を中心として回転対称に形成されている。
【００２４】
本発明による加熱ブロックハーフシェルもしくは本発明による加熱ブロックの１つの好適な実施形態では、直線部分において少なくとも３つのガイド部材が部分壁に配置されており、少なくとも３つのガイド部材のうち少なくとも２つは、加熱コイルを半径方向においてそれぞれ異なる側から支持するように設けられている。
【００２５】
このような実施形態は、加熱通路の中心における、それぞれ異なる側からの加熱コイルの位置固定を可能にし、この位置固定では、各ガイド部材は加熱コイルとの小さな接触面しか有さない。よって、直線部分の（長手方向軸線に対して直交する）横断面における各ガイド部材の延在長さを小さく抑えることができ、各ガイド部材は小さな流れ障害物でしかなくなる。
【００２６】
特に、少なくとも３つのガイド部材は、実質的に直線部分の長手方向中心軸線を中心として互いに回動されて配置された２つのガイド部材による１つのガイド部材対を含んでいてもよい。以下、「ガイド部材対」という用語は、互いにこのように配置されたガイド部材の対を意味する。つまり、１つのガイド部材対の２つのガイド部材の各位置は、数学的に互いに長手方向中心軸線を中心として回転させることにより表すことができる。
【００２７】
よって、加熱コイルに対する１つのガイド部材対の２つのガイド部材の係合点は、直線部分の（長手方向軸線に対して直交する）１つの共通の横断面内に配置されていてもよい。特に、本発明による加熱ブロックハーフシェルのこの実施形態は、加熱コイルが、加熱ブロックハーフシェルの、別の加熱ブロックハーフシェルとの接合により形成される加熱ブロックにおいて、複数のガイド部材の共通の横断面の領域で周面係合され、これにより特に良好に位置固定されることを可能にする。
【００２８】
特に好適な実施形態では、１つのガイド部材対の２つのガイド部材間の相応の回転角度は、約９０°または約１２０°である。このような加熱ブロックハーフシェルが、別の加熱ブロックハーフシェルと組み合わされて加熱ブロックを形成する場合、この実施形態および適当に形成された第２の加熱ブロックハーフシェルでは、加熱コイルの周りに各ガイド部材を均等に配置することができる。このことは、加熱通路内での加熱コイルの特に良好な位置固定を可能にする。
【００２９】
好適なのは、上述したように直線部分に複数のガイド部材対を有し、これらのガイド部材対は軸方向において互いにずらされて配置されている、加熱ブロックハーフシェルもしくは加熱ブロックの実施形態である。
【００３０】
１つの好適な実施形態では、本発明による加熱ブロックは、第１の加熱ブロックハーフシェルと第２の加熱ブロックハーフシェルとを有し、これらは互いに接合されており（かつ場合により互いに溶接されており）、かつ加熱通路の少なくとも１つの直線部分を有し、この場合、第１の加熱ブロックシェルは、前記形式の、互いに軸方向においてずらされた少なくとも２つのガイド部材対を有し、第２の加熱ブロックシェルは、軸方向において第１の加熱ブロックハーフシェルの各ガイド部材対の間に配置された少なくとも１つのガイド部材対を有している。このような対称的な型押し部は、加熱通路内での加熱コイルの均一な位置固定を可能にする。
【００３１】
有利には、本発明による加熱ブロックの１つの実施形態は、少なくとも４つのガイド部材を壁に有し、そのうち少なくとも３つは、軸方向において実質的に同じ位置に配置されている。つまり、これら３つのガイド部材は、軸方向において互いにずらされずに、加熱通路周面のそれぞれ異なる位置に配置されている。要するに３つのガイド部材は、加熱コイルを半径方向において、それぞれ異なる３つの側から支持することができるようになっている。好適には、少なくとも３つのガイド部材の位置は、直線部分の長手方向中心軸線を中心として互いに約９０°または約１２０°だけ回動されることにより表されてもよい。
【００３２】
本発明の１つの好適な実施形態では、複数のガイド部材のうちの少なくとも１つが、加熱通路の直線部分の縦断面において内向きの領域および／または外向きの領域を有し、内向きの領域では、ガイド部材が流れ方向に見て直線部分の中心に徐々に近づいており、外向きの領域では流れ方向に見て、中心から徐々に離れていっている。つまり流れ方向に沿って、内向きの領域では中心からの間隔が徐々に小さくなり、外向きの領域では徐々に大きくなっている。択一的または付加的に、流れ方向に見て（つまり直線部分の横断面において壁の周面に沿った）片側または両側に形成された少なくとも１つのガイド部材が、中心に徐々に近づいている部分領域を有していてもよい。
【００３３】
このようにして、通流中の液体における急な方向転換が回避され得る。通流中の加熱されるべき液体がガイド部材に当たった場合には、特に渦動を減少させることができると共に、液体を、連続した一様な流れの中で少なくとも１つのガイド部材を越えて案内することができるようになっている。
【００３４】
１つの有利な実施形態では、直線部分に設けられた複数のガイド部材のうちの少なくとも１つは、実質的に流線形に形成されている。このようにして、加熱通路内の流れ抵抗と渦動とを最小にすることができる。それどころか特に好適な実施形態では、直線部分に設けられた全てのガイド部材が、前記のように流線形に形成されている。
【００３５】
少なくとも１つのガイド部材は、例えば加熱通路内に楕円体、特に回転楕円体またはレンズに従って成形された（すなわち（回転）楕円体もしくはレンズの表面の一部を形成している）表面を有していてもよい。このような形状は、特に流動上有利である。
【００３６】
１つの好適な実施形態では、本発明による加熱ブロックハーフシェルは、少なくとも部分的にプラスチックから加工成形されている。この場合、プラスチックは電気的な絶縁手段として用いられ、さらにこのような加熱ブロックハーフシェルは、製造上有利であると共に簡単であり、かつ少なくとも部分的にプラスチックから成形された少なくとも１つの別の加熱ブロックハーフシェルと組み合わされて溶接され得る。これに相応して、本発明による加熱ブロックには、好適には少なくとも部分的にプラスチックから成形されたケーシングが含まれる。
【００３７】
本発明の１つの好適な態様は、前記各実施形態のうちの１つに基づく加熱ブロックハーフシェルまたは加熱ブロックを備えた湯沸器、特に家庭用湯沸器に関する。
【００３８】
以下に、本発明の好適な実施例を、図面につきより詳しく説明する。個々の部材とコンポーネントとは、上述したものまたは以下に記載するものとは異なって組み合わされてもよいということは自明である。
【図面の簡単な説明】
【００３９】
【図１ａ】ガイドリブを備えた従来の加熱ブロックハーフシェルの斜視図である。
【図１ｂ】従来の加熱ブロックの直線部分の横断面図である。
【図２】本発明による加熱ブロックに設けられた加熱通路の直線部分を示す縦断面図である。
【図３】図２から一部を抜粋して示す図である。
【図４】本発明による加熱ブロックを、加熱通路の直線部分の長手方向中心軸線に対して直交して横断して示す図である。
【００４０】
図１には、従来の加熱ブロックハーフシェル１００が示されている。この加熱ブロックハーフシェルは、加熱通路１１０用の部分壁を形成している。
【００４１】
加熱通路は、直線部分１１１と、複数の直線部分（図示せず）とを有しており、これらはそれぞれ、その中央に加熱コイル（図示せず）を収容するために設けられている。各直線部分にはガイドリブ１２０ａ，１２１ａ，１２２ａおよびその他の複数のガイドリブ（符合無し）が配置されている。ガイドリブ１２０ａは、直線部分１１１のほぼ全長にわたって延びており、同じことはその他のガイドリブの各直線部分にも当てはまる。
【００４２】
この斜視図に基づき、直線部分毎に１つのガイドリブのみが認められるが、このガイドリブに対向して別のガイドリブが、図１ｂに示した加熱通路１１０の直線部分１１１の横断面に見られるように、加熱ブロックハーフシェル内に配置されている。
【００４３】
図１ｂでは、加熱ブロックハーフシェル１００は、やはり加熱通路１１０の（図では上側の）部分壁を形成する別の加熱ブロックハーフシェル１０１と組み合わされている。図示のように、（図では下側の）加熱ブロックハーフシェル１００は、ガイドリブ１２０ａの他に、もう１つのガイドリブ１２０ｂも有している。（図では上側の）加熱ブロックハーフシェル１０１は、ガイドリブ１２０ｃおよび１２０ｄを有している。これらのガイドリブは、加熱コイル１４０を半径方向において支持している。
【００４４】
加熱コイル１４０と加熱通路の壁との間には、複数の中間室１４１ａ，１４１ｂ，１４１ｃ，１４１ｄが形成されている。ガイドリブの形成に基づき、これらの中間室内では、通流中の加熱されるべき液体に対してかなりの流れ抵抗が生じることになり、このことは、加熱コイルの周りを流れる一様な周流ひいては一様な加熱を妨げている。
【００４５】
図２には、本発明による加熱ブロック１０に設けられた加熱通路１８の直線部分が示されている。加熱ブロック１０は、加熱通路１８用の壁１７を形成しており、加熱通路１８の半径方向における中心には、（長手方向中心軸線Ｌを包囲するように）加熱コイル２０が配置されている。より良好な認識のために、この加熱コイルは横断面図ではなく、側面図で示されている。加熱ブロック１０の壁１７には複数のガイド部材１１ａ，１２，１５ａおよび１６が配置されており、これらは加熱コイル２０を半径方向において支持している。特にガイド部材１２および１５ａは、軸方向において（すなわち長手方向中心軸線Ｌの方向において）相前後して配置されており、同じことはガイド部材１１ａおよび１６にも当てはまる。例えば加熱されるべき液体の通流方向Ｆに見ると、ガイド部材１５ａはガイド部材１２の下流側に位置しており、ガイド部材１６はガイド部材１１ａの下流側に位置している。
【００４６】
ガイド部材１２および１６は、図示の横断面では長手方向軸線Ｌを備える平面内に位置している。これに対してガイド部材１１ａおよび１５ａの位置は、それぞれ長手方向軸線を中心として回動されて配置されており、このことは、ガイド部材１２および１６との比較において異なるガイド部材１１ａおよび１５ａの図示により示唆されていると共に、図４に関して、より詳しく説明する。
【００４７】
図３に示す、図２から一部を抜粋した図を用いて、ガイド部材１２の構成をより詳細に説明する。図面から分かるように、このガイド部材は領域２１と領域２２とを有している。
【００４８】
領域２１は、長手方向軸線Ｌに対する（ひいては加熱通路１８の図示の直線部分の中心に対する）間隔が流れ方向Ｆに見て徐々に小さくなる、内向きの領域である。これに対して領域２２は、長手方向軸線Ｌに対する（ひいては加熱通路１８の図示の直線部分の中心に対する）間隔が流れ方向Ｆに見て徐々に大きくなる、外向きの領域である。換言すると、ガイド部材１２の表面は、内向きの領域２１内では流れ方向Ｆに見て徐々に加熱通路の内部に向かっているのに対し、外向きの領域２２内では流れ方向に見て中心から離れていっている。
【００４９】
図４には、加熱通路１８の２つの直線部分Ａ１およびＡ２を含む、本発明による加熱ブロック１０の部分が横断面図で示されている。加熱通路はこれら２つの直線部分に、各１つの長手方向中心軸線Ｌ１もしくはＬ２を有しており、図示の横断面は、両長手方向軸線に対して直交する１つの平面内に位置している。部分Ａ１は、図２に縦断面で示した部分に相当する。
【００５０】
図示の加熱ブロックは、２つの加熱ブロックハーフシェル１０ａおよび１０ｂから構成されており、これらは共に、加熱通路１８用の壁１７を形成している。
【００５１】
図示の横断面は、部分Ａ１に３つのガイド部材１１ａ，１１ｂおよび１２を有している。この場合、ガイド部材１１ａおよび１１ｂは、加熱ブロックハーフシェル１０ｂ内で１つのガイド部材対を形成していて、互いに実質的に直線部分の長手方向中心軸線を中心として回動されて配置されており、つまりそれらの位置は、互いに長手方向中心軸線Ｌ１を中心として回転されることにより表される。同じことは、部分Ａ２においてガイド部材１３ａおよび１３ｂから形成されたガイド部材対にも当てはまる。
【００５２】
部分Ａ１では、ガイド部材１１ａおよび１１ｂから成るガイド部材対に対向して、単一のガイド部材１２が配置されている。
【００５３】
図４で認められる、ガイド部材対としてのガイド部材１１ａ，１１ｂおよび単一のガイド部材１２の配置形式は、図２に示した図面を明確に示すものである。図４で分かるように、特にガイド部材１１ａは、長手方向軸線Ｌとガイド部材１２の両方共を含む平面内には位置していない。この平面は、図２に示した断面である。
【００５４】
このことと、図２に示したガイド部材１５ａおよび１６とからさらに、これらのガイド部材はガイド部材１１ａおよび１２と同様に配置されていて、図中上側のガイド部材１５ａはガイド部材対の一部である、ということが明らかになる。つまり、ガイド部材１５ａおよび１６の横断面は、図４に部分Ａ２に関して示した横断面と同じであると考えられる。要するに加熱ブロック１０は、互いに軸方向にずらされて配置された特に２つのガイド部材対を有している。これにより、加熱コイルを有利には加熱通路の中心で効率的に位置固定することができるようになっている。
【００５５】
さらに、図２、図３および図４の各図面を組み合わせると、ガイド部材１１ａ，１１ｂおよび１２は、直線部分Ａ１の長手方向でも横断面でも丸み付けされた表面を有していて、流線形に形成されていることが分かる。これにより、加熱通路内の流れ抵抗が最小になり、このことは加熱されるべき液体の一様な通流ひいては一様な加熱を可能にする。特にガイド部材１２は、楕円体の表面の一部に合致する、特に有利な表面を有している。
【符号の説明】
【００５６】
１０  加熱ブロック
１０ａ，１０ｂ  加熱ブロックハーフシェル
１１ａ，１１ｂ，１２，１３ａ，１３ｂ，１４，１５ａ，１６  ガイド部材
１７  壁
１８  加熱通路
２０  加熱コイル
２１  内向きの領域
２２  外向きの領域
１００  従来の加熱ブロックハーフシェル
１１０  加熱通路
１１１  直線部分
１２０ａ，１２０ｂ，１２０ｃ，１２０ｄ，１２１，１２２  ガイドリブ
Ａ１，Ａ２  直線部分
Ｆ  流れ方向
Ｌ，Ｌ１，Ｌ２  長手方向中心軸線
【図１ａ】
2018526609.tif 000003
【図１ｂ】
2018526609.tif 000004
【図２】
2018526609.tif 000005
【図３】
2018526609.tif 000006
【図４】
2018526609.tif 000007
【国際調査報告】
2018526609.tif 000008
2018526609.tif 000009
2018526609.tif 000010
2018526609.tif 000011
2018526609.tif 000012
2018526609.tif 000013